(57)【要約】【課題】触媒の劣化を抑制して稼働することが可能な脱水素システム及び脱水素システムの運転停止方法を提供する。【解決手段】脱水素システム１は、有機ハイドライドを貯留する貯留部１０と、蒸発部２０と、脱水素触媒を保持する反応部３０と、分離部４０と、主流路１１０と、脱水素反応によって生成した水素の一部を蒸発部２０に返送する返送流路１２０とを備えている。脱水素システムの運転停止方法は、システム停止時に、蒸発部１０への有機ハイドライドの供給を停止し、分離部４０において分離された水素の一部を蒸発部２０に返送して、主流路１１０に残留している有機ハイドライドを水素中に気化させた状態で脱水素反応させて除去するものである。【選択図】図１
2017081792.tif 000002
【特許請求の範囲】
【請求項１】
有機ハイドライドを貯留する貯留部と、
前記貯留部から供給される有機ハイドライドを気化させる蒸発部と、
前記有機ハイドライドの脱水素反応を触媒する脱水素触媒を保持する反応部と、
前記脱水素反応によって生成した水素と前記有機ハイドライドの脱水素化物とを分離する分離部と、
前記貯留部、前記蒸発部、前記反応部及び前記分離部をこの順に接続している主流路と、
前記分離部が有する排気口の下流側から分岐して前記蒸発部よりも上流側の前記主流路に接続し、前記水素の一部を前記蒸発部に返送する返送流路とを備えることを特徴とする脱水素システム。
【請求項２】
前記貯留部と前記蒸発部との間の前記主流路に設置され、前記有機ハイドライドを前記蒸発部に供給する供給ポンプと、
前記返送流路を開閉自在に仕切る開閉弁と、
前記供給ポンプの稼働と前記開閉弁の開閉とを制御する制御部とをさらに備え、
前記制御部は、システム停止時に、前記供給ポンプの稼働を停止した後に前記開閉弁を開いて前記水素を前記返送流路及び前記主流路において循環させ、前記主流路に残留している前記有機ハイドライドを前記水素中に気化させた状態で脱水素反応させて除去することを特徴とする請求項１に記載の脱水素システム。
【請求項３】
前記制御部は、前記開閉弁を開いた後、返送される前記水素の延べ体積が前記主流路の総体積以上に達したときに前記開閉弁を閉じることを特徴とする請求項２に記載の脱水素システム。
【請求項４】
前記蒸発部における前記有機ハイドライドの出口温度を計測する出口温度計測手段をさらに備え、
前記制御部は、前記開閉弁を開いた後、前記出口温度の上昇の時間変化率があらかじめ設定されている閾値以上になったときに前記開閉弁を閉じることを特徴とする請求項２に記載の脱水素システム。
【請求項５】
前記蒸発部は、熱交換型の加熱装置であって、前記蒸発部に流入する熱媒温度を把握できる熱媒上流側温度計測手段と、前記蒸発部から流出する熱媒温度を把握できる熱媒下流側温度計測手段と、をさらに備え、
前記制御部は、前記開閉弁を開いた後、前記熱媒上流側温度と前記熱媒下流側温度との温度差があらかじめ設定されている閾値以下になったときに前記開閉弁を閉じることを特徴とする請求項２に記載の脱水素システム。
【請求項６】
前記蒸発部における前記有機ハイドライドの液量を検出する液面計をさらに備え、
前記制御部は、前記開閉弁を開いた後、前記液面計により計測される液位があらかじめ設定されている閾値以下になったときに前記開閉弁を閉じることを特徴とする請求項２に記載の脱水素システム。
【請求項７】
前記反応部における出口温度を計測する出口温度計測手段をさらに備え、
前記制御部は、前記開閉弁を開いた後、前記出口温度の上昇の時間変化率があらかじめ設定されている閾値以上になったときに前記開閉弁を閉じることを特徴とする請求項２に記載の脱水素システム。
【請求項８】
有機ハイドライドを貯留する貯留部と、
前記貯留部から供給される有機ハイドライドを気化させる蒸発部と、
前記有機ハイドライドの脱水素反応を触媒する脱水素触媒を保持する反応部と、
前記脱水素反応によって生成した水素と前記有機ハイドライドの脱水素化物とを分離する分離部と、
前記貯留部、前記蒸発部、前記反応部及び前記分離部をこの順に接続している主流路とを備える脱水素システムの運転停止方法であって、
システム停止時に、
前記蒸発部への前記有機ハイドライドの供給を停止し、
前記分離部において分離された前記水素の一部を前記蒸発部に返送して、前記主流路に残留している前記有機ハイドライドを前記水素中に気化させた状態で脱水素反応させて除去することを特徴とする脱水素システムの運転停止方法。
【発明の詳細な説明】
【技術分野】
【０００１】
本発明は、有機ハイドライドを脱水素して水素を取り出す脱水素システム及び脱水素システムの運転停止方法に関する。
【背景技術】
【０００２】
近年、エネルギ源として有用な水素を、有機ハイドライドをキャリアとして貯蔵・輸送する技術の開発が進められている。シクロヘキサン、メチルシクロヘキサン等の有機ハイドライドは、水素の貯蔵密度が高く、液体としての取り扱いも容易であることから、水素を低コストで大量に貯蔵・輸送することが可能なキャリアとして有望視されている。
【０００３】
水素が利用される消費地には、有機ハイドライドに水添されている水素を脱水素反応によって取り出すための脱水素システムが設置される。脱水素システムとしては、貯蔵や輸送に適した液体の有機ハイドライドを気化させた後に反応器に導入し、反応器に保持されている脱水素触媒によって脱水素化を行う形態のシステムが開発されている。
【０００４】
この種の脱水素システムは、一般に、有機ハイドライドを加熱して気化させる蒸発器と、脱水素反応を行う反応器と、脱水素反応によって生成した水素を気液分離する気液分離器とを備えている。液体の有機ハイドライドを気化し、脱水素触媒の存在下に脱水素反応させることによって、水素ガスと有機ハイドライドの脱水素化物とが生成される。
【０００５】
有機ハイドライドの脱水素反応は、吸熱反応である。そのため、脱水素システムに備えられる反応器は、２５０℃〜４００℃程度の高温に加熱されて運転されることが多い。このようにして反応器が高温になると、有機ハイドライドや水添反応において副生成して混入している不純物等に由来して触媒の被毒（コーキング）を生じることが知られている。そこで、被毒の原因物質を除去することによって脱水素触媒の劣化を抑制する技術が提案されている。
【０００６】
例えば、特許文献１には、水素化芳香族化合物を生成する水素化反応装置と、水素化反応装置の生成物を水素化芳香族化合物の沸点以上に維持した状態で気液分離する第１分離装置と、第１分離装置によって分離された気体に含まれる水素化芳香族化合物を分離する第２分離装置とを備えた水素化システムと、第２分離装置によって分離された水素化芳香族化合物から水素を生成する脱水素反応装置とを備える水素貯蔵・輸送システムについて開示されている。
【先行技術文献】
【特許文献】
【０００７】
【特許文献１】特開２０１５−１４５３４７号公報
【発明の概要】
【発明が解決しようとする課題】
【０００８】
脱水素システムの運転を停止する際には、原料としての有機ハイドライドの供給を停止する操作と、蒸発器や反応器における加熱を中止する操作とを、併せて行うのが一般的である。高温に加熱されていた蒸発器や反応器は、このような操作が実行された後、自然放冷されて平温に戻り、次回の再起動に向けて待機する状態となる。
【０００９】
ところが、このような操作を経て脱水素システムの運転を停止する場合、有機ハイドライドの供給を停止したとしても、既に投入した有機ハイドライドの一部については、反応器に到達すること無く、未反応のままライン内に残留することになる。また、蒸発器や反応器は、加熱を停止したとしても直ちには除熱されず、暫くの間は余熱を保った状態であり続ける。
【００１０】
そのため、システム停止時の脱水素システムのラインは、蒸発器の加熱が停止される前に既に気化し、排出されずに残っていた高温の有機ハイドライドや、蒸発器の加熱が停止された後に余熱によって新たに気化した高温の有機ハイドライド等が少なからず残存した状態となる。
【００１１】
そして、こうした高温の有機ハイドライドは、熱分解によってコークを生じたり、反応器に流入して意図しない触媒反応を生じたりして、脱水素触媒のコーキングを進行させる。すなわち、システム停止時にライン内に残存している有機ハイドライド等によって、脱水素触媒の耐用寿命や反応効率が損なわれるという課題がある。
【００１２】
特許文献１に記載されているような水素貯蔵・輸送システムによると、脱水素触媒の被毒物質が水素化システムから混入して脱水素システム内で濃縮するのを防止することが可能である。しかしながら、脱水素システムは、一般に、起動と停止とを断続的に繰り返して、長期にわたって継続的に稼働される。そのため、システム停止の都度に進行するコーキングは、水素化システムから混入する不純物等に起因する劣化と比較しても影響が大きいものである。
【００１３】
また、脱水素システムのシステム停止時にライン内に供給済みの有機ハイドライドが残存していると、脱水素システムを再起動して新たに有機ハイドライドを供給するときに、ライン内に残存していた有機ハイドライドも反応器に投入されてしまう。このようにして有機ハイドライドの現実の投入量が、予定していた設計量よりも過剰になると、触媒の劣化が不用意に進んでしまうという課題もある。
【００１４】
そこで、本発明は、触媒の劣化を抑制して稼働することが可能な脱水素システム及び脱水素システムの運転停止方法を提供することを目的とする。
【課題を解決するための手段】
【００１５】
前記課題を解決するために本発明に係る脱水素システムは、有機ハイドライドを貯留する貯留部と、前記貯留部から供給される有機ハイドライドを気化させる蒸発部と、前記有機ハイドライドの脱水素反応を触媒する脱水素触媒を保持する反応部と、前記脱水素反応によって生成した水素と前記有機ハイドライドの脱水素化物とを分離する分離部と、前記貯留部、前記蒸発部、前記反応部及び前記分離部をこの順に接続している主流路と、前記分離部が有する排気口の下流側から分岐して前記蒸発部よりも上流側の前記主流路に接続し、前記水素の一部を前記蒸発部に返送する返送流路とを備えることを特徴とする。
【００１６】
この脱水素システムは、返送流路を備えているため、反応部において生成した水素を返送流路を通じて蒸発部に返送し、主流路と返送流路とを通じて循環させることができる。そのため、脱水素システムのシステム停止時に主流路に残存している液体の有機ハイドライドを、蒸発部で加温された水素によって速やかに蒸発させることができる。気化した有機ハイドライドについては、反応部において脱水素反応させて主流路から排除することが可能である。すなわち、脱水素システムの運転を休止しているときや、脱水素システムの運転を再起動したときに、主流路に残存していた有機ハイドライドが反応部に流入するのを防止することができる。よって、この脱水素システムによると、コーキングによる触媒の劣化を抑制して、長期にわたって良好な反応効率を保って稼働を続けることが可能となる。
【００１７】
また、本発明に係る脱水素システムの運転停止方法は、有機ハイドライドを貯留する貯留部と、前記貯留部から供給される有機ハイドライドを気化させる蒸発部と、前記有機ハイドライドの脱水素反応を触媒する脱水素触媒を保持する反応部と、前記脱水素反応によって生成した水素と前記有機ハイドライドの脱水素化物とを分離する分離部と、前記貯留部、前記蒸発部、前記反応部及び前記分離部をこの順に接続している主流路とを備える脱水素システムの運転停止方法であって、システム停止時に、前記蒸発部への前記有機ハイドライドの供給を停止し、前記分離部において分離された前記水素の一部を前記蒸発部に返送して、前記主流路に残留している前記有機ハイドライドを前記水素中に気化させた状態で脱水素反応させて除去することを特徴とする。
【００１８】
この脱水素システムの運転停止方法によると、脱水素システムのシステム停止時に、分離された水素の一部が蒸発部に返送される。そして、有機ハイドライドの供給が停止された後に主流路に残存している供給済みの有機ハイドライドは、蒸発部で加温された水素に同伴して主流路を通流し、反応部に導入されて脱水素反応することで主流路から排除される。これにより、脱水素システムの運転を休止しているときや、脱水素システムの運転を再起動したときに、主流路に残存していた有機ハイドライドが反応器に流入するのを防止することができる。よって、この脱水素システムの運転停止方法によると、コーキングによる触媒の劣化を抑制して、長期にわたって良好な反応効率を保って脱水素システムを稼働させることが可能である。
【発明の効果】
【００１９】
本発明によれば、触媒の劣化を抑制して稼働することが可能な脱水素システム及び脱水素システムの運転停止方法を提供することができる。
【図面の簡単な説明】
【００２０】
【図１】本発明の一実施形態に係る脱水素システムの概略構成を示す図である。
【図２】本発明の一実施形態に係る脱水素システムの運転の流れを示すフローチャートである。
【発明を実施するための形態】
【００２１】
以下に、本発明の一実施形態に係る脱水素システム及び脱水素システムの停止方法について説明する。なお、以下の図において共通する構成については同一の符号を付し、重複した説明を省略する。
【００２２】
図１は、本発明の一実施形態に係る脱水素システムの概略構成を示す図である。
図１に示すように、本実施形態に係る脱水素システム１は、原料タンク（貯留部）１０と、蒸発器（蒸発部）２０と、反応器（反応部）３０と、気液分離器（分離部）４０と、水素タンク５０と、液体タンク６０と、制御装置（制御部）１００と、主流路１１０と、返送流路１２０と、供給ポンプｐ１と、ブロワｐ２と、返送流路開閉弁（開閉弁）Ｖ１と、を備えている。
【００２３】
脱水素システム１は、液体の有機ハイドライドを気化し、気化させた有機ハイドライドを脱水素触媒によって脱水素反応させて水素を生成し、脱水素反応によって生成した水素と有機ハイドライドの脱水素化物とを気液分離して水素を回収する装置である。有機ハイドライドから取り出された水素は、各種の用途に利用される一方で、気液分離された有機ハイドライドの脱水素化物は、水素を貯蔵するキャリアとして再利用される。
【００２４】
有機ハイドライドとしては、具体的には、シクロヘキサン、メチルシクロヘキサン、ジメチルシクロヘキサン、エチルシクロヘキサン、デカリン、１−メチルデカリン、２−メチルデカリン、２−エチルデカリン等の芳香族炭化水素の水素化物が好適に用いられる。
【００２５】
有機ハイドライドは、水素吸蔵合金をキャリアとする場合や、水素単体を貯蔵・輸送する場合と比較して、重量当たり及び体積当たりの水素貯蔵密度を高密度にすることが可能なキャリアである。そのため、有機ハイドライドは、貯蔵・輸送を行う設備機器等について小型化により低コスト性や省スペース性を確保しつつ、高い貯蔵量や搬送量をも両立させることができる点で、有利なキャリアとなっている。
【００２６】
有機ハイドライドの一種であるメチルシクロヘキサン（ＭＣＨ）は、常圧における沸点が約１０１℃である。ＭＣＨは、脱水素反応することによって、水素と常圧における沸点が約１１０℃であるトルエンとを生成する。キャリアとしてのＭＣＨは、毒性が比較的低く、常圧付近における広い温度域で液体として取り扱いが可能であるという利点を有している。そこで、以下においては、有機ハイドライドとしてＭＣＨを用いる場合を例にとって説明を行う。
【００２７】
脱水素システム１は、図１に示すように、原料タンク１０、蒸発器２０、反応器３０及び気液分離器４０をこの順に直列状に接続している主流路１１０を有している。主流路１１０は、水素生成の原料として供給される液体のＭＣＨや、気化したＭＣＨや、ＭＣＨに由来する水素等の生成物をはじめとして、気体及び液体のうち少なくとも一方が通流可能な流路となっている。主流路１１０は、配管等によって形成されており、原料タンク１０から、蒸発器２０や反応器３０を貫通して気液分離器４０に達している。
【００２８】
原料タンク１０は、水素生成の原料となるＭＣＨを貯留するための容器である。原料タンク１０には、例えば、生産地等から搬送されてきたＭＣＨが投入され、液体の状態で貯留されるようになっている。原料タンク１０の出口は、主流路１１０を介して蒸発器２０の入口と接続されている。
【００２９】
供給ポンプｐ１は、原料タンク１０と蒸発器２０との間の主流路１１０に設置されている。原料タンク１０に貯留されている液体のＭＣＨは、供給ポンプｐ１によって引き抜かれて昇圧され、主流路１１０を通じて蒸発器２０に供給されるようになっている。
【００３０】
供給ポンプｐ１は、制御部１００と信号線を介して接続されている。供給ポンプｐ１は、例えば、インバータ駆動によってポンプの駆動回転数を制御可能に設けられる。供給ポンプｐ１の作動及び停止や、供給ポンプｐ１によるＭＣＨの移送量は、制御部１００によって制御される。
【００３１】
蒸発器２０は、液体のＭＣＨを気化させるために備えられている。蒸発器２０としては、シェルアンドチューブ型等の熱交換型の加熱装置が好適に用いられる。シェルアンドチューブ型の加熱装置は、シェル側が熱媒流通可能となっており、多管のＭＣＨ配管（チューブ）がシェルを貫通した構造を有している。チューブには、原料タンク１０から液体のＭＣＨが導入され、シェル内には、熱媒配管から熱媒が供給される。そして、チューブ内（受熱空間）にあるＭＣＨは、熱媒との熱交換によって加熱されて蒸発する。
【００３２】
図１に示すように、蒸発器２０の上流側には、蒸発器２０に導入されるＭＣＨの入口温度を計測する蒸発器入口温度センサ（入口温度計測手段）Ｔ１、蒸発器２０の蒸気出口の下流側には、蒸発器２０から排出されるＭＣＨの出口温度を計測する蒸発器出口温度センサ（出口温度計測手段）Ｔ２をそれぞれ設置することができる。
【００３３】
また、図１に示すように、蒸発器２０に備えられる熱交換器の熱媒の供給側には、蒸発器２０に流入する熱媒温度を把握できる熱媒上流側温度センサ（熱媒上流側温度計測手段）Ｔ３、熱媒の排出側には、蒸発器２０から流出する熱媒温度を把握できる熱媒下流側温度センサ（熱媒下流側温度計測手段）Ｔ４をそれぞれ設置することができる。
【００３４】
また、図１に示すように、蒸発器２０の受熱空間には、加熱されているＭＣＨの液量を検出する液面計Ｌ１を設置することができる。これらの各計測器は、制御部１００との間で計測値や指示を伝送可能に設けられる。
【００３５】
蒸発器２０においては、液体のＭＣＨに蒸発潜熱が与えられ、沸点近傍の温度に達して蒸発するまでの加熱が少なくとも行われる。蒸発器２０の蒸気出口は、主流路１１０を介して反応器３０の入口と接続されており、蒸発器２０において気化したＭＣＨは、主流路１１０を通じて反応器３０に導入されるようになっている。
【００３６】
蒸発器２０における加熱の目標温度は、ＭＣＨの沸点近傍に設定される一方で、脱水素反応の至適温度は、通常、２５０℃〜４００℃程度である。そのため、蒸発器２０において蒸発潜熱が与えられたＭＣＨは、脱水素反応に供される以前に必要に応じて過熱されて顕熱が与えられる。
【００３７】
反応器３０は、ＭＣＨの脱水素反応を触媒する脱水素触媒を保持している。反応器３０としては、多管式等の固定床熱交換型の反応器が好適に用いられる。ＭＣＨの脱水素反応は、反応生成物の総モル数の増加を伴う吸熱反応である。そのため、反応器３０における反応雰囲気は、ゲージ圧で１．０ＭＰａＧ以下程度の常圧付近の低圧力の下で、不図示の燃焼バーナで温められたガス、熱媒等の加熱手段によって高温に加熱される。
【００３８】
脱水素触媒としては、例えば、白金、パラジウム、ニッケル、スズ、レニウム、ロジウム、イリジウム等の適宜の活性金属を用いることができる。また、活性金属を担持する触媒担体としては、アルミナ、シリカ、チタニア、ジルコニア、マグネシア、酸化スズ、ゼオライト等の適宜の担体を用いることが可能である。触媒担体については、粒状、モノリス状、ペレット状、プレート状、ハニカム状等の適宜の形態としてよい。
【００３９】
反応器３０においては、脱水素触媒の存在下、低圧且つ高温条件の下でＭＣＨが効率的に脱水素反応し、水素と、水素が脱離した脱水素化物、すなわちトルエンが生成する。反応器３０の出口は、主流路１１０を介して気液分離器４０の入口と接続されており、反応器３０において生成した水素とトルエンとは、主流路１１０を通じて気液分離器４０に導入されるようになっている。
【００４０】
図１に示すように、反応器３０の下流側には、反応器３０から排出される脱水素反応の生成物の出口温度を計測する反応器出口温度センサ（出口温度計測手段）Ｔ５を設置することができる。この計測器は、制御部１００との間で計測値や指示を伝送可能に設けられる。
【００４１】
気液分離器４０は、脱水素反応によって生成した水素と、ＭＣＨの脱水素化物であるトルエン及び未反応のＭＣＨを気液分離するために備えられている。気液分離器４０では、例えば、反応器３０において生成した高温の生成物を、トルエンの沸点未満の温度、好ましくはＭＣＨの沸点未満の温度に冷却し、トルエン、未反応のＭＣＨ、副生成物等を液化させて水素ガスと気液分離させる。気液分離器４０の気体出口は、水素タンク５０と接続されている一方で、凝縮液を排出する液出口は、液体タンク６０と接続されている。
【００４２】
ブロワｐ２は、気液分離器４０の排気口と水素タンク５０との間の気体の流路に設置されている。気液分離器４０において分離された水素は、ブロワｐ２によって吸引され、水素タンク５０に回収されるようになっている。
【００４３】
水素タンク５０は、脱水素反応によって生成した水素を回収するための容器である。ＭＣＨに結合した状態で貯蔵・輸送された後、脱水素反応によってＭＣＨから取り出された水素は、水素タンク５０に回収される。そして、回収された水素は、一般燃料、発電用燃料、燃料電池用燃料等の各種の用途に利用される。
【００４４】
液体タンク６０は、水素から気液分離された脱水素化物等の液体を回収するための容器である。液体タンク６０に回収されたトルエンは、精製された後、水素を貯蔵するためのキャリアとして再利用される。例えば、水素の生産地に向けて液体の状態で輸送され、生産地において水添反応を受けて再びＭＣＨに変換される。そして、生産地と消費地との間を結ぶ水素の貯蔵・輸送サイクルにおいて、水素のキャリアとして繰り返し利用される。
【００４５】
返送流路１２０は、気液分離器４０が有する排気口の下流側から分岐して供給ポンプｐ１の下流側且つ蒸発器２０よりも上流側の主流路１１０に接続している。返送流路１２０は、気液分離器４０において分離された水素をはじめとして、気体が通流可能な流路である。返送流路１２０は、配管等によって形成されており、蒸発器２０の上流側の主流路１１０に接続されている。気液分離器４０において分離された水素の一部は、返送流路１２０に排出され、返送流路１２０を通って蒸発器２０に返送されるようになっている。
【００４６】
返送流路開閉弁Ｖ１は、返送流路１２０に設けられている。詳細には、返送流路開閉弁Ｖ１は、気液分離器４０が有する排気口の下流と返送流路１２０との接続位置の近傍に設置されている。返送流路開閉弁Ｖ１は、気液分離器４０が有する排気口の下流との接続位置の近傍において返送流路１２０を開閉自在に仕切っている。返送流路開閉弁Ｖ１は、全閉の状態では、気液分離器４０が有する排気口の下流と返送流路１２０との間について気体の通流を遮断する。その一方で、開いた状態では、気液分離器４０が有する排気口の下流と蒸発器２０の上流側の主流路１１０との間を連通し、返送流路１２０を介した気液分離器４０から蒸発器２０への気体の通流を可能にする。
【００４７】
返送流路開閉弁Ｖ１は、図１に示すように、制御部１００と信号線を介して接続されており、返送流路開閉弁Ｖ１の開閉は、制御部１００によって制御されるようになっている。返送流路１２０は、脱水素システム１のシステム停止時に開放される。システム停止時に返送流路１２０が開放されると、脱水素反応によって生成した水素が主流路１１０と返送流路１２０とを通じて循環する。循環する水素は、蒸発器２０において加熱され、主流路１１０に残存しているＭＣＨ等を同伴して反応器３０に導入される。
【００４８】
制御部１００は、開閉弁やポンプ等の各種機器を制御する運転制御部、各種計測器からの出力を参照して各種機器の制御量等を演算する演算部、制御プログラムや各種の変数を記憶する記憶部等を備える構成とされる。制御部１００は、例えば、制御プログラムを実行するＣＰＵ、各種変数等を記憶するメモリ、ＲＯＭ、ＲＡＭ等によって実現される。また、制御部１００は、操作者による指示を受け付けるキーボードやマウス等の入力手段や、システムの状態、各種演算結果、各種計測結果等を表示するディスプレイ等の不図示の表示手段や、各種機器を制御するコントローラ等と接続される。
【００４９】
制御部１００は、供給ポンプｐ１、返送流路開閉弁Ｖ１、蒸発器２０、反応器３０等の動作を制御する機能を有している。具体的には、供給ポンプｐ１についての起動、停止、駆動回転数や、返送流路開閉弁Ｖ１の開閉や、蒸発器２０及び反応器３０についての加熱の起動、停止、加熱熱量等が、操作者からの指示や制御プログラムに基いて制御される。
【００５０】
ここで、本発明の一実施形態に係る脱水素システムの運転停止方法について説明する。
【００５１】
図２は、本発明の一実施形態に係る脱水素システムの運転の流れを示すフローチャートである。
脱水素システム１の運転は、水素生成の原料としてのＭＣＨが原料タンク１０に投入されている状態で開始される。このとき、返送流路開閉弁Ｖ１は全閉の状態である。
【００５２】
脱水素システム１の制御部１００は、操作者によるシステム起動の指示を受け付けると、蒸発器２０の加熱と、反応器３０の加熱とを開始する（ステップＳ１０）。蒸発器２０の加熱の目標温度については、例えば、１００℃以上４００℃以下の範囲であり、好ましくは反応器３０と同等ないし同じ温度、反応器３０の加熱の目標温度については、例えば、３００℃以上４００℃以下の範囲で設定される。すなわち、このような目標温度に向けて蒸発器２０及び反応器３０の予熱を開始する。
【００５３】
続いて、制御部１００は、供給ポンプｐ１を起動する（ステップＳ１１）。反応器３０に液体のＭＣＨが導入されると、所定温度以下では反応開始効率が低下してしまうため、供給ポンプｐ１を起動は、蒸発器２０及び反応器３０のそれぞれの内部温度が所定温度に昇温した段階で行うことが好ましい。供給ポンプｐ１が稼働すると、原料タンク１０に貯留されている液体のＭＣＨは、蒸発器２０に供給されて気化し、気化したＭＣＨは、高温に予熱されている反応器３０に導入されて脱水素反応する。
【００５４】
脱水素反応によって生成した水素とトルエンとは、気液分離器４０に導入されて気液分離された後、水素タンク５０及び液体タンク６０のそれぞれに回収される。脱水素システム１では、このような脱水素反応を半連続的に行い、原料タンク１０に貯留されているＭＣＨから水素を取り出す定常運転を行う。
【００５５】
脱水素システム１は、その後、定常運転の停止を指示するシステム停止指示が有るとシステム停止の処理を開始する。脱水素システム１のシステム停止時には、蒸発器２０内の受熱空間や、蒸発器２０よりも上流側の主流路１１０に、供給ポンプｐ１によって既に投入された液体のＭＣＨが残留している。このような液体のＭＣＨは、蒸発器２０の余熱によって気化する可能性がある。また、蒸発器２０の下流側にかけては、蒸発器２０の受熱空間において既に気化した高温のＭＣＨが、未だ脱水素反応すること無く残存している。
【００５６】
脱水素システム１のシステム停止時に、このような高温のＭＣＨが残存していると、熱分解によってコークを生じたり、余熱を持っている反応器３０に流入して望まれない触媒反応を生じたりする虞がある。そして、脱水素システム１の稼働を停止し、水素の回収を中断しているにも関わらず、脱水素触媒の表面にコーク等の堆積を生じ、脱水素触媒のコーキングが進行してしまう。
【００５７】
また、脱水素システム１のシステム停止時に主流路１１０にＭＣＨが残存していると、脱水素システム１を再起動したときに、供給ポンプｐ１によって新たに供給されるＭＣＨと共に、残存していたＭＣＨも反応器３０に投入されることになる。このようにしてＭＣＨの投入量が過剰になると、転化率が低下すると共に副反応が増加し、脱水素触媒のコーキングによる劣化がさらに進行してしまう。
【００５８】
そこで、脱水素システム１の制御部１００は、システム停止時に、主流路１１０に残存しているＭＣＨを排除する処理を実行する。詳細には、反応器３０に導入されること無く主流路１１０に残存しているＭＣＨを、循環させている水素に同伴させて反応器３０に導入させて、遺漏少なく脱水素反応させる処理である。
【００５９】
脱水素システム１の制御部１００は、反応器３０の運転中において、システム停止指示が有るか否かを判定する（ステップＳ１２）。システム停止指示は、例えば、操作者により入力手段を介して制御部１００に入力される。或いは、原料タンク１０における液量、主流路１１０を通流したＭＣＨの総流量、供給ポンプｐ１の稼働時間等が、あらかじめ設定されている所定値に達したときに動作信号として制御部１００に入力される。
【００６０】
脱水素システム１の制御部１００は、システム停止指示を受け付けていないと（ステップＳ１２；ＮＯ）、供給ポンプｐ１の稼働を続ける。そして、制御部１００は、システム停止指示が有るか否かの判定を継続する（ステップＳ１２）。
【００６１】
その一方で、制御部１００は、システム停止指示を受け付けると（ステップＳ１２；ＹＥＳ）、供給ポンプｐ１の稼働を停止する（ステップＳ１３）。供給ポンプｐ１の稼働を停止すると、蒸発器２０へのＭＣＨの供給が停止する。主流路１１０に既に供給済みのＭＣＨは、蒸発器２０によって気化し、反応器３０に導入されて水素を生成することになる。
【００６２】
続いて、制御部１００は、返送流路開閉弁Ｖ１を開く（ステップＳ１４）。返送流路開閉弁Ｖ１が開かれると、気液分離器４０が有する排気口の下流側は、返送流路１２０を介して蒸発器２０の上流側の主流路１１０と連通する。このとき、水素タンク５０側は、既に回収されている水素によって高圧となっている。そのため、脱水素反応によって生成した水素の一部は、ブロワｐ２の稼働によって蒸発器２０に返送され、蒸発器２０において加温されながら主流路１１０と気液分離器４０と返送流路１２０とを通じて循環するようになる。
【００６３】
その結果、蒸発器２０において加温された水素によって主流路１１０が掃気され、主流路１１０に残存しているＭＣＨは、水素中に気化し、水素に同伴して反応器３０に導入されて脱水素反応する。つまり、残留していたＭＣＨが、主流路１１０から除去される。
【００６４】
脱水素システム１の制御部１００は、返送流路１２０を通じて水素が循環している間に、水素の循環の停止を指示する循環停止指示が有るか否かを判定する（ステップＳ１５）。循環停止指示は、例えば、操作者により入力手段を介して制御部１００に入力される。或いは、水素の循環による主流路１１０の掃気が完了したことが各種の計測器によって間接的に検知されたときに動作信号として制御部１００に入力される。
【００６５】
図２に示すように、脱水素システム１の制御部１００は、水素の循環による主流路１１０の掃気が完了しているか否かを判定するにあたって、液体のＭＣＨの残存状態を間接的に示す変数を参照することができる。
【００６６】
詳細には、脱水素システム１の制御部１００は、主流路１１０における液体のＭＣＨの残存状態を間接的に示す変数を各種計測器を介して取得する。そして、その変数を参照することによって、主流路１１０に液体のＭＣＨが残存しているか否かを推定し、返送流路開閉弁Ｖ１の開閉を制御する。このような処理によって、水素の循環による主流路１１０の掃気の終了時期を適切な時期に制御することができる。
【００６７】
脱水素システム１の制御部１００は、具体的には、図２に示すように、返送流路１２０を通じて水素が循環している間に、所定の変数が、あらかじめ設定されている閾値以上になったか否か、又は、閾値以下になったか否かを判定する（ステップＳ１５）。図２における各種変数は、並列の関係にあり、閾値との判定にはいずれか一つが使用される。
【００６８】
参照することができる変数としては、例えば、蒸発器出口温度の上昇の時間変化率（蒸発器出口温度変化率）、蒸発器２０に流入する熱媒温度と蒸発器２０から流出する熱媒温度との温度差（熱媒入出温度差）、蒸発器２０の受熱空間におけるＭＣＨの液量（蒸発器内液量）、反応器出口温度の上昇の時間変化率（反応器出口温度変化率）、返送流路１２０を通じて返送される水素の延べ体積（水素パージ量）等が挙げられる。
【００６９】
変数として蒸発器出口温度変化率を用いる場合、制御部１００は、蒸発器出口温度の上昇の時間変化率（蒸発器出口温度変化率）があらかじめ設定されている閾値以上になったか否かを判定する（ステップＳ１５）。
【００７０】
蒸発器出口温度は、供給ポンプｐ１と蒸発器２０とが稼働している間には、通常、設計に基く所定範囲内の値を示す。例えば、ＭＣＨの流量や蒸発器２０への伝熱量が一定に制御されている定常運転時であれば、蒸発器出口温度は略一定し、温度上昇を示すことは殆ど無い。つまり、蒸発器出口温度の時間変化は略無い。これに対して、蒸発器２０へのＭＣＨの供給を停止し、供給済みの液体のＭＣＨの全てが気化すると、蒸発による吸熱が無くなる。その結果、蒸発器２０への伝熱量が一定に制御されていたとしても、蒸発器出口温度が上昇に向かう。つまり、ＭＣＨの蒸発が終了することにより、蒸発器出口温度の上昇の時間変化率は、増大する側に変位を生じることになる。
【００７１】
そのため、制御部１００に、蒸発器出口温度の時間変化率の有意な増大を検知するための所定閾値をあらかじめ設定しておき、蒸発器出口温度センサＴ２の出力に基いて蒸発器出口温度変化率を演算し、判定を行うことによって、水素の循環による掃気の終了時期を適切な時期に制御することができる。蒸発器出口温度変化率に基くと、主流路１１０に残存しているＭＣＨの略全部が排除された時期を比較的精密に推定できる点で有利である。
【００７２】
制御部１００は、蒸発器出口温度の上昇の時間変化率が閾値以上になっていないと（ステップＳ１５；ＮＯ）、返送流路１２０を通じた水素の循環を続ける。そして、制御部１００は、循環停止指示が有るか否かの判定を継続する（ステップＳ１５）。
【００７３】
その一方で、制御部１００は、蒸発器出口温度の上昇の時間変化率が閾値以上になっていると（ステップＳ１５；ＹＥＳ）、水素の循環による主流路１１０の掃気が十分に行われたとして、返送流路開閉弁Ｖ１を閉じる（ステップＳ１６）。
【００７４】
或いは、変数として熱媒入出温度差を用いる場合、制御部１００は、蒸発器２０に流入する熱媒温度と蒸発器２０から流出する熱媒温度との温度差（熱媒入出温度差）があらかじめ設定されている閾値以下になったか否かを判定する（ステップＳ１５）。
【００７５】
熱媒入出温度差は、供給ポンプｐ１と蒸発器２０とが稼働している間には、通常、設計に基く所定範囲内の値を示す。例えば、ＭＣＨの流量や熱媒の流量が一定に制御されている定常時であれば、熱媒からＭＣＨへの伝熱量は運転中で最大となるため、蒸発器２０に流入する熱媒温度と蒸発器２０から流出する熱媒温度との温度差は大きな値をとる。これに対して、蒸発器２０へのＭＣＨの供給を停止し、供給済みの液体のＭＣＨの全てが気化すると、蒸発による熱媒からの吸熱が無くなる。その結果、熱媒は十分に冷却されないまま蒸発器２０から流出するようになり、熱媒入出温度差は、気体のＭＣＨと熱媒との熱交換による最小値に達する。
【００７６】
そのため、制御部１００に、蒸発器２０に流入する熱媒温度と蒸発器２０から流出する熱媒温度との温度差の運転中の最小値に相当する所定閾値をあらかじめ設定しておき、熱媒上流側温度センサＴ３及び熱媒下流側温度センサＴ４の出力に基いて熱媒入出温度差を演算し、判定を行うことによって、水素の循環による掃気の終了時期を適切な時期に制御することができる。具体的には、蒸発器２０に流入する熱媒温度と蒸発器２０から流出する熱媒温度との温度差が、循環している水素に与えられる顕熱を考慮して、２℃以下になったとき、ＭＣＨの全てが蒸発したものと判定することができる。熱媒入出温度差に基くと、ＭＣＨの蒸発が完了する時期に合わせて蒸発器２０の運転を停止することができるため、蒸発器２０の稼働コストを削減し得る点で有利である。
【００７７】
制御部１００は、蒸発器２０に流入する熱媒温度と蒸発器２０から流出する熱媒温度との温度差が閾値以下になっていないと（ステップＳ１５；ＮＯ）、返送流路１２０を通じた水素の循環を続ける。そして、制御部１００は、循環停止指示が有るか否かの判定を継続する（ステップＳ１５）。
【００７８】
その一方で、制御部１００は、蒸発器２０に流入する熱媒温度と蒸発器２０から流出する熱媒温度との温度差が閾値以下になっていると（ステップＳ１５；ＹＥＳ）、水素の循環による主流路１１０の掃気が十分に行われたとして、返送流路開閉弁Ｖ１を閉じる（ステップＳ１６）。
【００７９】
或いは、変数として蒸発器内液量を用いる場合、制御部１００は、蒸発器２０の受熱空間におけるＭＣＨの液量（蒸発器内液量）があらかじめ設定されている閾値以下になったか否かを判定する（ステップＳ１５）。
【００８０】
蒸発器内液量は、供給ポンプｐ１が稼働している間には、通常、所定値以上に保たれている。蒸発器２０は、主流路１１０のうち、液体のＭＣＨが多量に残存し易い領域である。その後、供給ポンプｐ１を停止すると、蒸発器２０に供給済みの液体のＭＣＨは、蒸発器２０によって加熱されて気化し、受熱空間における液量は次第に減少していくことになる。
【００８１】
そのため、制御部１００に、蒸発器２０の受熱空間に液体が存在していないことを示すための液位に相当する所定閾値をあらかじめ設定しておき、液面計Ｌ１の出力に基いて判定を行うことによって、水素の循環による掃気の終了時期を適切な時期に制御することができる。蒸発器内液量に基くと、蒸発器２０に残存しているＭＣＨの略全部が排除された時期を精密に推定できる点で有利である。
【００８２】
制御部１００は、蒸発器２０の受熱空間におけるＭＣＨの液量が閾値以下になっていないと（ステップＳ１５；ＮＯ）、返送流路１２０を通じた水素の循環を続ける。そして、制御部１００は、循環停止指示が有るか否かの判定を継続する（ステップＳ１５）。
【００８３】
その一方で、制御部１００は、蒸発器２０の受熱空間におけるＭＣＨの液量が閾値以下になっていると（ステップＳ１５；ＹＥＳ）、水素の循環による主流路１１０の掃気が十分に行われたとして、返送流路開閉弁Ｖ１を閉じる（ステップＳ１６）。
【００８４】
或いは、変数として反応器出口温度変化率を用いる場合、制御部１００は、反応器出口温度の上昇の時間変化率（反応器出口温度変化率）があらかじめ設定されている閾値以上になったか否かを判定する（ステップＳ１５）。
【００８５】
反応器出口温度は、供給ポンプｐ１と蒸発器２０と反応器３０とが稼働している間には、通常、設計に基く所定範囲内の値を示す。例えば、ＭＣＨの流量や蒸発器２０への伝熱量や反応器３０の温度が一定に制御されている定常運転時であれば、反応器出口温度は略一定し、温度上昇を示すことは殆ど無い。つまり、反応器出口温度の時間変化は略無い。これに対して、蒸発器２０へのＭＣＨの供給を停止し、供給されたＭＣＨの全てが脱水素化されると、脱水素反応による吸熱が無くなる。その結果、反応器３０の加熱熱量が一定に制御されていたとしても、反応器出口温度が上昇に向かう。つまり、残存していたＭＣＨの脱水素反応が終了することにより、反応器出口温度の上昇の時間変化率は、増大する側に変位を生じることになる。
【００８６】
そのため、制御部１００に、反応器出口温度の時間変化率の有意な増大を検知するための所定閾値をあらかじめ設定しておき、反応器出口温度センサＴ５の出力に基いて反応器出口温度変化率を演算し、判定を行うことによって、水素の循環による掃気の終了時期を適切な時期に制御することができる。反応器出口温度変化率に基くと、主流路１１０に残存しているＭＣＨの略全部が排除された時期を精密に推定できる点で有利である。
【００８７】
制御部１００は、反応器出口温度の上昇の時間変化率が閾値以上になっていないと（ステップＳ１５；ＮＯ）、返送流路１２０を通じた水素の循環を続ける。そして、制御部１００は、循環停止指示が有るか否かの判定を継続する（ステップＳ１５）。
【００８８】
その一方で、制御部１００は、反応器出口温度の上昇の時間変化率が閾値以上になっていると（ステップＳ１５；ＹＥＳ）、水素の循環による主流路１１０の掃気が十分に行われたとして、返送流路開閉弁Ｖ１を閉じる（ステップＳ１６）。
【００８９】
或いは、変数として水素パージ量を用いる場合、制御部１００は、返送流路１２０を通じて返送される水素の延べ体積（水素パージ量）があらかじめ設定されている閾値以上になったか否かを判定する（ステップＳ１５）。
【００９０】
水素が通流する流路は、詳細には、主流路１１０についての蒸発器２０よりも上流側の返送流路１２０との接続位置から気液分離器４０までの区間と、気液分離器４０の気相空間から気液分離器４０が有する排気口の下流と返送流路１２０との接続位置までの区間とを合わせた領域に相当する。例えば、反応器３０において生成される水素の生成量や水素を循環させようとする予定時間に基いて、必要量の水素パージ量を設定することができる。
【００９１】
そのため、制御部１００に、必要量の水素パージ量に相当する所定閾値を設定しておくことによって、水素の循環による掃気の終了時期を適切な時期に制御することができる。水素パージ量は、残存しているＭＣＨを遺漏少なく排除する観点から、循環する水素が通流する流路の総体積以上となるように設定することが好ましい。
【００９２】
制御部１００は、返送流路１２０を通じて返送される水素の延べ体積が閾値以上になっていないと（ステップＳ１５；ＮＯ）、返送流路１２０を通じた水素の循環を続ける。そして、制御部１００は、循環停止指示が有るか否かの判定を継続する（ステップＳ１５）。
【００９３】
その一方で、制御部１００は、返送流路１２０を通じて返送される水素の延べ体積が閾値以上になっていると（ステップＳ１５；ＹＥＳ）、水素の循環による主流路１１０の掃気が十分に行われたとして、返送流路開閉弁Ｖ１を閉じる（ステップＳ１６）。
【００９４】
続いて、制御部１００は、蒸発器２０の加熱と、反応器３０の加熱とを停止する（ステップＳ１７）。蒸発器２０及び反応器３０の加熱が停止されると、蒸発器２０や反応器３０の温度は、自然放冷によって次第に低下していく。
【００９５】
そして、脱水素システム１の制御部１００は、供給ポンプｐ１、蒸発器２０、反応器３０と共に、ブロワｐ２も停止した状態として、脱水素システム１の運転停止の処理を終了する。蒸発器２０、反応器３０、主流路１１０等は、自然放冷により平温に戻り、脱水素システム１は、運転を休止した状態となる。
【００９６】
以上の実施形態に係る脱水素システム及び脱水素システムの運転停止方法によると、システム停止時に、反応器４０において生成した水素を、返送流路１２０を通じて蒸発器２０に返送し、主流路１１０と返送流路１２０とを通じて循環させることができる。そして、主流路１１０に残存している有機ハイドライドを、循環している水素に同伴させて反応器３０に導入して脱水素反応させることができる。そのため、システム停止してから再起動を行うまでの運転を休止している間に、主流路１１０に残存している有機ハイドライドが反応器３０に流入するのを防止することができる。
【００９７】
その結果、有機ハイドライドに起因するコーキングによる触媒の劣化が抑制され、触媒の耐用寿命や反応効率等が長期にわたって維持される。すなわち、脱水素システムを、触媒の劣化を抑制して長期にわたって稼働させることが可能となる。この脱水素システム及び脱水素システムの運転停止方法は、脱水素反応の温度が３００℃以上４００℃以下の高温域に設定され、触媒のコーキングが進行し易い場合に特に有効である。
【００９８】
また、前記の実施形態に係る脱水素システム及び脱水素システムの運転停止方法によると、脱水素システムを再起動するときに、主流路１１０に残存していた有機ハイドライドが、供給ポンプｐ１によって新たに供給した有機ハイドライドに同伴して反応器３０に導入されることが無くなる。そのため、設計上の供給量を超える過剰な有機ハイドライドが反応器３０に供給されるのを防止することができる。すなわち、システムの停止と再起動を断続的に繰り返したとしても、有機ハイドライドに起因するコーキングによる触媒の劣化が最小限に抑制される。
【００９９】
また、前記の脱水素システムは、返送流路１２０が、蒸発器２０の上流側の主流路１１０に接続されている。そのため、特に、液体の有機ハイドライドの残存量が多くなる傾向がある蒸発器２０について、残存している有機ハイドライドを確実に排除することが可能となっている。つまり、供給ポンプｐ１によって主流路１１０に供給された後、反応器３０に到達すること無く主流路１１０に残留しているＭＣＨ等を、遺漏少なく主流路１１０から排除することができる。
【０１００】
また、前記の脱水素システムにおいては、種々の計測器に基いて水素の循環による掃気の終了時期を制御することができる。そのため、システムの停止の処理時間を最小限に短縮することができる。
【０１０１】
［変形例］
なお、本発明に係る脱水素システム及び脱水素システムの運転停止方法には、前記の実施形態のほか種々の変形例が含まれる。具体的には、前記の実施形態に係る脱水素システム及び脱水素システムの運転停止方法の一部の構成に、その他の構成を追加、置換等したり、一部の構成を削除したりすることが可能である。
【０１０２】
例えば、前記の実施形態に係る脱水素システムにおいては、返送流路１２０が、蒸発器２０の上流側のみに接続されている。しかしながら、返送流路１２０は、分岐を有していてもよい。例えば、分岐して蒸発器２０よりも下流、且つ、反応器３０よりも上流に接続し、定常運転時に、生成させた水素の一部を反応器３０に返送し、有機ハイドライドに同伴させてもよい。このようにして、ＭＣＨに１０％〜２０％程度の水素を同伴させることにより、定常運転時のコーキングを抑制することができる。
【０１０３】
また、前記の実施形態に係る脱水素システムにおいては、反応器３０と気液分離器４０とが別体に設けられている。しかしながら、反応器と気液分離器とを一体に設けることもできる。具体的には、内部空間が水素分離膜によって隔てられた反応器において、脱水素反応と生成した水素の気液分離とを連続的に行うことが可能である。
【０１０４】
また、前記の実施形態に係る脱水素システムにおいては、反応器３０の前段に蒸発器２０のみが備えられている。しかしながら、蒸発器２０と反応器３０との間には、過熱器（スーパーヒータ）を備えることもできる。蒸発器２０で気化した有機ハイドライドを過熱器によって再加熱することで、転化率や反応速度を向上させたり、気化後に凝結した微量の有機ハイドライドを再蒸発させたりすることが可能である。
【０１０５】
また、前記の実施形態に係る脱水素システムにおいては、気液分離器４０において脱水素反応の生成物の冷却が行われるものとされている。しかしながら、脱水素反応の生成物の冷却は、反応器３０と気液分離器４０との間の区間に設置される熱交換器において行ってもよい。この熱交換器においては、脱水素反応の生成物による放熱を、原料の有機ハイドライドの蒸発や過熱に用いることも可能である。気液分離器４０は、単段及び多段のいずれの構成としてもよい。
【０１０６】
また、前記の実施形態に係る脱水素システムにおいては、気液分離器４０の後段に水素タンク５０が備えられている。しかしながら、気液分離器４０と水素タンク５０との間には、単一器又は複数器の水素精製装置を備えることもできる。
【０１０７】
また、前記の実施形態に係る脱水素システムにおいては、各種の計測器を所定位置に設置することができるとされている。しかしながら、各計測器の配置や計測対象は、同等の位置における同一の物理量を演算やモデル式等に基いて把握し得る限り、適宜の配置や適宜の計測対象で代替してもよい。例えば、熱媒上流側温度センサＴ３や熱媒下流側温度センサＴ４により計測される熱媒温度については、計測器の厳密な位置に依らず、距離や熱媒流量から推定可能である。また、過去の実績や、モデル試験に基いて把握することも可能である。
【０１０８】
また、前記の実施形態に係る脱水素システムの運転停止方法においては、ブロワｐ２が適時に停止されるものとされている。しかしながら、ブロワｐ２の稼働の停止は、制御部１００がシステム停止指示を受け付けた後であって蒸発器２０及び反応器３０の加熱を停止する前に行ってもよいし、蒸発器２０及び反応器３０の加熱を停止した後に行ってもよい（ステップＳ１７）。脱水素反応によって生成した水素は、ブロワｐ２を締切運転させている間にも、ブロワｐ２に一般的に備えられるミニマムフローラインを通じて蒸発器２０の上流側に返送され、反応器３０を通過した後、気液分離器４０から排気される。つまり、水素の循環は、ブロワｐ２の作動及び停止に依存せず、排出流路開閉弁Ｖ２の開閉のみによって制御することが可能である。
【０１０９】
また、前記の実施形態に係る脱水素システムの運転停止方法においては、制御部１００が、循環停止指示が有るか否かを判定するにあたって、蒸発器出口温度変化率、熱媒入出温度差、蒸発器内液量、反応器出口温度、又は、水素パージ量を変数として参照するものとされている（ステップＳ１５）。しかしながら、精密な判定を行う観点から、これらの変数のうちの複数を参照し、複数条件が満たされたときに循環停止指示が有ったと判定するように構成してもよい。
【符号の説明】
【０１１０】
１  脱水素システム
１０  原料タンク（貯留部）
２０  蒸発器（蒸発部）
３０  反応器（反応部）
４０  気液分離器（分離部）
５０  水素タンク
６０  液体タンク
１００  制御装置（制御部）
１１０  主流路
１２０  返送流路
Ｌ１  液面計
ｐ１  供給ポンプ
ｐ２  ブロワ
Ｔ１  蒸発器入口温度センサ（入口温度計測手段）
Ｔ２  蒸発器出口温度センサ（出口温度計測手段）
Ｔ３  熱媒上流側温度センサ（熱媒上流側温度計測手段）
Ｔ４  熱媒下流側温度センサ（熱媒下流側温度計測手段）
Ｔ５  反応器出口温度センサ（出口温度計測手段）
Ｖ１  返送流路開閉弁（開閉弁）
【図１】
2017081792.tif 000003
【図２】
2017081792.tif 000004